(57)【要約】【課題】浴室からの水漏れが生じにくい浴室用機器の固定器具を提供する。【解決手段】固定器具１０は、浴室５０に設置されるリフト装置４０を浴室５０に固定する。固定器具１０は、リフト装置４０を固定するためのアンカーボルト１３が取り付けられるアンカー穴２３が形成された第１の固定部２０と、第１の固定部２０と繋がり、浴室５０の壁５１に固定するための第２の固定部１１とを備える。【選択図】図２
2016146993.tif 000002
【特許請求の範囲】
【請求項１】
アンカーボルトにより浴室用機器を固定するための第１の固定部と、
前記第１の固定部と繋がり、浴室の壁または浴槽に固定するための第２の固定部とを備える
浴室用機器の固定器具。
【請求項２】
前記第１の固定部が板である
請求項１に記載の浴室用機器の固定器具。
【請求項３】
前記第１の固定部はフランジを備える
請求項２に記載の浴室用機器の固定器具。
【請求項４】
前記フランジが前記第１の固定部の下方側に延びる
請求項３に記載の浴室用機器の固定器具。
【請求項５】
前記第２の固定部が板であり、前記第１の固定部の端と繋がっている
請求項２〜４のいずれか一項に記載の浴室用機器の固定器具。
【請求項６】
前記第２の固定部の一部または全部が前記第１の固定部の上面よりも上側に配置される
請求項５に記載の浴室用機器の固定器具。
【請求項７】
前記アンカーボルトが挿入される少なくとも１つの穴が前記第１の固定部に形成され、
前記第１の固定部の上面側に突き出るように前記アンカーボルトが前記穴に挿入され、そのアンカーボルトが前記第１の固定部に固定されている
請求項１〜６のいずれか一項に記載の浴室用機器の固定器具。
【請求項８】
脚を取り付けるための複数の脚取付部が前記第１の固定部に形成される
請求項１〜７のいずれか一項に記載の浴室用機器の固定器具。
【請求項９】
前記浴室用機器の脚を通過させるための穴および切り欠きの少なくとも一方が前記第１の固定部に形成される
請求項１〜８のいずれか一項に記載の浴室用機器の固定器具。
【請求項１０】
前記浴室の壁または浴槽に固定するための第３の固定部をさらに備え、
前記第３の固定部は前記第２の固定部とは別の部分において前記第１の固定部と繋がっている
請求項１〜９のいずれか一項に記載の浴室用の固定器具。
【請求項１１】
前記第１の固定部が前記浴室用機器である入浴用のリフト装置を固定するための部材
である
請求項１〜１０のいずれか一項に記載の浴室用の固定器具。
【発明の詳細な説明】
【技術分野】
【０００１】
本発明は浴室に設置装置を固定するための浴室用の固定器具に関する。
【背景技術】
【０００２】
被介護者を補助するための各種の機器が実用化されている。被介護者の入浴を補助する入浴用リフト装置はその機器の一例である。リフト装置は浴槽の周囲に配置され、入浴する被介護者を浴槽内に搬送し、入浴が終了した被介護者を浴槽外に搬送する。このように、リフト装置は大きな荷重を受ける機器であることから、使用時に傾かないように施工時に浴室にしっかり固定される。よく知られたリフト装置の固定方法は、リフト装置の本体をアンカーボルトにより浴室の床に固定する方法である。この方法は例えば特許文献１に開示されている。
【先行技術文献】
【特許文献】
【０００３】
【特許文献１】特開平１０−８０４５８号公報
【発明の概要】
【発明が解決しようとする課題】
【０００４】
上記固定方法によれば、アンカーボルトを通すための穴が床に開けられるため、浴室が使用されるときにその穴に水が流れ込むおそれがある。なお、リフト装置に限らず、例えば浴槽等のように浴室に固定される他の浴室用機器についても上述の課題と同様の課題を引き起こすおそれがある。
【０００５】
本発明の目的は浴室からの水漏れが生じにくい浴室用機器の固定器具を提供することである。
【課題を解決するための手段】
【０００６】
本発明の一形態に従う浴室用の固定器具は、アンカーボルトにより浴室用機器を固定するための第１の固定部と、前記第１の固定部と繋がり、浴室の壁または浴槽に固定するための第２の固定部とを備える。
【発明の効果】
【０００７】
本浴室用機器の固定器具によれば、浴室からの水漏れが生じにくくなる。
【図面の簡単な説明】
【０００８】
【図１】第１実施形態の固定器具によりリフト装置が設置された浴室の斜視図。
【図２】図１の固定器具、浴室、および、リフト装置の分解斜視図。
【図３】図１の固定器具の斜視図。
【図４】図１の固定器具の正面図。
【図５】第２実施形態の固定器具の斜視図。
【図６】図５の固定器具およびリフト装置を示す分解斜視図。
【図７】第１の変形例の固定器具の斜視図。
【図８】第２の変形例の固定器具の斜視図。
【発明を実施するための形態】
【０００９】
（第１実施形態）
図１を参照して、浴室用機器の一例である入浴用のリフト装置４０が設置される浴室５０について説明する。浴室５０は、複数の壁５１および床５２を備えている。床５２には、排水口５３が形成されている。床５２は、排水口５３に向かうにつれて下方にゆるやかに傾斜している。
【００１０】
リフト装置４０は、浴槽の周囲に配置され、入浴する被介護者を浴槽内に搬送し、入浴が終了した被介護者を浴槽外に搬送する。リフト装置４０は、シート４１、シート４１を回動させる回転軸４２、回転軸４２を介してシート４１を吊り下げる支柱４３、および、支柱４３の下端を支持する箱型の装置本体４４を備えている。装置本体４４の内部には、図示しない制御装置等が収容されている。装置本体４４は、浴槽６０の壁６１の外面に沿って配置されている。
【００１１】
リフト装置４０は、図示しない電動のアクチュエータを用いて支柱４３を伸縮させることによりシート４１を垂直方向に移動させる。リフト装置４０は、図示しない電動のアクチュエータを用いて回転軸４２を回転させることにより、シート４１を水平方向に移動させる。リフト装置４０は、シート４１を垂直方向および水平方向に移動させることにより、シート４１を浴槽６０の外から浴槽６０の中へ、または、浴槽６０の中から浴槽６０の外へ搬送する。
【００１２】
リフト装置４０は、支柱４３によりシート４１を吊り下げている。このため、使用時に支柱４３および装置本体４４をシート４１側に傾けようとする力が作用する。このため、リフト装置４０は、安定性を向上させるために、固定器具１０を用いて浴室５０に固定される。
【００１３】
図２〜図４を参照して、リフト装置４０を浴室５０の壁５１に固定する固定器具１０について説明する。
図２に示すように、固定器具１０は、装置本体４４が載置される第１の固定部２０、および、第１の固定部２０の端と繋がっている第２の固定部１１を備えている。固定器具１０は、金属であることが好ましく、さらに好ましくはステンレスである。
【００１４】
図３に示すように、第１の固定部２０は長方形の板である。第１の固定部２０の両方の長辺は、下方側に延びるフランジ２１を備えている。フランジ２１は、第１の固定部２０の端部を下方に曲げ加工することにより形成されている。第１の固定部２０には、装置本体４４から延びる電源ケーブル（図示略）を通すための穴２２、および、３つのアンカー穴２３が形成されている。
【００１５】
図４に示すように、各アンカー穴２３には、第１の固定部２０の下方から上面側に突き出るようにアンカーボルト１３がアンカー穴２３に挿入されている。アンカーボルト１３は、アンカー穴２３の内周に溶接により固定されている。
【００１６】
第１の固定部２０は、脚２５を取り付けるための４つの脚取付部２４を備えている。４つの脚取付部２４は、第１の固定部２０の底面の四隅に配置されている。脚２５の外周に形成される雄ねじが脚取付部２４に形成される雌ねじにねじ込まれることにより、脚２５が第１の固定部２０に取り付けられる。脚２５および脚取付部２４は、脚２５の脚取付部２４のねじ込み量を調整することにより、脚２５の底面から第１の固定部２０までの長さを変更することができる。すなわち、脚２５および脚取付部２４は、固定部２０の床５２からの高さを調整する機能を備えている。
【００１７】
第２の固定部１１は長方形の板である。第２の固定部１１は、ほぼ全部が第１の固定部２０の上面よりも上側に配置される。第２の固定部１１は、第１の固定部２０の短辺の一方に溶接されている。第２の固定部１１の平面方向は、第１の固定部２０の平面方向と直交している。第２の固定部１１は、その下端の位置と第１の固定部のフランジ２１の下端の位置とが合うように第１の固定部２０に固定されている。第２の固定部１１には、第２の固定部１１を壁５１に固定するための複数の穴１２が形成されている。
【００１８】
図２を参照して、固定器具１０を用いてリフト装置４０を浴室５０に設置する手順について説明する。
まず、作業者は、４つの脚取付部２４に脚２５をねじ込む。次に、作業者は、第２の固定部１１を壁５１に固定する。具体的には、作業者は、第２の固定部１１を壁５１に沿わせ、複数の穴１２にボルトＢの先端を通過させ、ボルトＢを壁５１にねじ込む。
【００１９】
次に、作業者は、アンカーボルト１３と装置本体４４とを固定する。具体的には、作業者は、装置本体４４の底部に配置される底板４５に形成される穴４５Ａに、アンカーボルト１３を挿入する。そして、装置本体４４の内部からアンカーボルト１３にナットＮをねじ込む。次に、作業者は、各脚２５の各脚取付部２４へのねじ込み量を調整することにより、第１の固定部２０および装置本体４４を水平に設置する。
【００２０】
固定器具１０は、以下の作用および効果を奏する。
（１）固定器具１０は、アンカーボルト１３によりリフト装置４０を固定するための第１の固定部２０と、浴室５０の壁５１に固定するための第２の固定部１１とを備える。このため、固定器具１０を用いてリフト装置４０が浴室５０に設置されるとき、床５２と比較して水が到達しにくい壁に穴が空けられる。また、壁５１に水が到達した場合も、水は下方に流れるため、床５２と比較して水が穴の内部に侵入しにくい。このため、床５２にアンカーボルトを打ち込むことによりリフト装置４０を浴室５０に固定する従来の構成と比較して、固定器具１０を固定するために浴室５０に空けられた穴に水が浸入しにくい。このため、浴室５０からの水漏れが生じにくくなる。また、床５２にアンカーボルトを打ち込む場合と比較して、ボルトＢを壁５１にねじ込んだ後の穴まわりの止水工事を簡略化することができる。このため、作業者の負担を低減できる。
【００２１】
（２）ユニットバスにおいては、床５２の下に空間が形成されている。このため、床５２の強度が低い。このため、リフト装置４０を床５２に固定した場合、リフト装置４０を使用するときの姿勢が不安定になるおそれがある。固定器具１０はリフト装置４０を壁５１に固定するため、ユニットバスにおいてもリフト装置４０を安定して使用することができる。
【００２２】
（３）固定器具１０の第２の固定部１１は、浴槽６０よりも剛性が高い壁５１に固定される。このため、浴室５０に設置されたリフト装置４０に被介護者が着座したとき、固定器具１０に作用する荷重が壁５１により受けられ、固定器具１０およびリフト装置４０の姿勢が安定する。また、固定器具１０が浴槽６０に固定される場合とは異なり、固定器具１０に作用する荷重に起因して浴槽６０が変形することが回避される。
【００２３】
（４）第１の固定部２０は、フランジ２１を備える。このため、固定器具１０の強度が向上する。
（５）固定器具１０は、アンカーボルト１３が第１の固定部２０に固定されている。このため、施工時にリフト装置４０の穴４５Ａにアンカーボルト１３が挿入されることにより、第１の固定部２０に対するリフト装置４０の位置が決められる。このため、施工時にアンカーボルト１３を第１の固定部２０および穴４５Ａに通す場合と比較して、施工時の作業が簡素化される。
【００２４】
（６）固定器具１０は、溶接によりアンカーボルト１３が第１の固定部２０に固定されている。このため、アンカーボルト１３が第１の固定部２０に対してずれにくい。
（７）浴室５０の床５２は、排水口５３に向って下方に傾斜している。第１の固定部２０には、脚取付部２４を介して長さが調整可能な脚２５を取り付けることができる。このため、脚２５の長さを調整することにより、第１の固定部２０を水平に設置できる。このため、リフト装置４０をより安定して使用することができる。
【００２５】
（第２実施形態）
図５および図６を参照して、第２実施形態の固定器具１０について説明する。第２実施形態の固定器具１０は、第１の固定部２０に代えて、脚４６を備える装置本体４４を浴室５０に設置するための第１の固定部３０を備えている。
【００２６】
図５に示すように、第１の固定部３０には、フランジ３１、電源ケーブル用の穴３２、アンカー穴３３、脚４６（図６参照）用の２つの穴３４、および、２つの切欠き部３５が形成されている。
【００２７】
２つの穴３４は、第２の固定部１１側の短辺付近に形成されている。穴３４は、脚４６（図６参照）を通過させることのできる大きさを有する。２つの切欠き部３５は、第１の固定部３０の第２の固定部１１とは反対側の短辺の２つの角に形成されている。一方の切欠き部３５は、他方の切欠き部３５よりも大きい。このため、２つの切欠き部３５にそれぞれ連続する２つのフランジ３１の長さは互いに異なっている。ここで、２つの切欠き部３５は、脚４６（図６参照）を通過させることのできる角度で切り欠きされている。
【００２８】
図６を参照して、固定器具１０を用いてリフト装置４０を浴室５０に設置する手順について説明する。
まず、作業者は、第２の固定部１１を壁５１に固定する。具体的には、作業者は、第１の固定部３０を床５２から浮かせた状態で第２の固定部１１を壁５１に沿わせ、複数の穴１２にボルトＢの先端を通過させ、ボルトＢを壁５１にねじ込む。
【００２９】
次に、作業者は、アンカーボルト１３と装置本体４４とを固定する。具体的には、作業者は、装置本体４４の脚４６を穴３４および切欠き部３５を通過させ、かつ、装置本体４４の底部に配置される底板４５に形成される穴４５Ａ（図２参照）に、アンカーボルト１３を挿入する。そして、作業者は、装置本体４４の内部からアンカーボルト１３にナットＮ（図２参照）をねじ込む。次に、作業者は、各脚４６の長さを調整することにより、第１の固定部３０および装置本体４４を水平に設置する。
【００３０】
固定器具１０は、第１実施形態の（１）〜（６）の効果に加えて以下の効果を奏する。
（８）第１の固定部３０は、脚４６を通過させるための穴３４および切欠き部３５が形成されている。このため、床５２の傾斜に応じて脚４６の長さを調整することにより、第１の固定部３０を水平に設置できる。このため、リフト装置４０をより安定して使用することができる。また、装置本体４４の脚４６の高さ調整機能を利用することができるため、第１の固定部３０に脚を備える場合と比較して、固定器具１０の構成が簡素化される。
【００３１】
（９）第１の固定部３０に全ての脚４６を通過させるために４つの切欠き部を形成する仮想の構成においては、第１の固定部３０の面積が小さくなり、第１の固定部３０の強度が低下する。他方、第１の固定部３０に全ての脚４６を通過させるために４つの穴を形成する仮想の構成においては、穴の加工の手間が大きい。第１の固定部３０は、穴３４および切欠き部３５の両方を備える。このため、第１の固定部３０の強度の低下の抑制と、加工の手間の削減とを両立できる。
【００３２】
（変形例）
本固定器具が取り得る具体的な形態は、上記実施形態に例示された形態に限定されない。本固定器具は、上記実施形態とは異なる各種の形態を取り得る。以下に示される上記実施形態の変形例は、本固定器具が取り得る各種の形態の一例である。
【００３３】
・第１実施形態の固定器具１０を用いて、第２実施形態の各脚４６を備える装置本体４４を浴室５０に設置することもできる。この場合、脚４６は第１の固定部２０の上面に設置される。
【００３４】
・第１実施形態の第１の固定部２０から脚２５を省略することもできる。この場合、第１の固定部２０を床５２から浮かせた状態で第２の固定部１１を壁５１に取り付けることもできる。また、第１の固定部２０の底面にゴム等のスペーサーを取り付け、スペーサーの底面を床５２に接触させることもできる。また、第１の固定部２０の底面よりも小さい複数のスペーサーを第１の固定部２０に取り付けることもできる。
【００３５】
・図７に示すように、第１実施形態の固定器具１０に、浴室５０の壁５１に固定するための第３の固定部１１０をさらに備えることもできる。第３の固定部１１０は第２の固定部１１とは別の部分において第１の固定部２０と繋がっている。第３の固定部１１０は、例えば、板であり、第１の固定部２０の上方に延びている。第３の固定部１１０は、複数の穴１２０を備えている。第３の固定部１１０は、第１の固定部２０の長辺に溶接されている。第２の固定部１１と第３の固定部１１０とは、互いに直交している。固定器具１０は、浴室５０の角に配置される。そして、第２の固定部１１と第３の固定部１１０とがそれぞれ浴室５０の角を形成する２つの壁５１に取り付けられる。この固定器具１０は、２つの壁５１に固定されるため、リフト装置４０をより安定させることができる。なお、第３の固定部１１０または第２の固定部１１を浴槽６０の壁６１に固定することもできる。
【００３６】
・図８に示すように、第２実施形態の固定器具１０の第２の固定部１１を、第１の固定部３０の下方に延びる第２の固定部２１０に変更することもできる。
・第１および第２実施形態の第１の固定部２０，３０のフランジ２１，３１を上方に延びるようにすることもできる。
【００３７】
・第１および第２実施形態の第２の固定部１１を柱形状に変更することもできる。また、１または複数のフレームにより構成される第２の固定部１１に変更することもできる。
・第１および第２実施形態の第１の固定部２０，３０を柱形状に変更することもできる。また、１または複数のフレームにより構成される第１の固定部２０，３０に変更することもできる。
【００３８】
・第１および第２実施形態の第２の固定部１１と第１の固定部２０，３０とを別部材を介して繋げることもできる。別部材は、例えば、第２の固定部１１および第１の固定部２０，３０の両方に溶接等により固定される柱状の部材である。
【００３９】
・第１および第２実施形態の第２の固定部１１を浴槽６０の壁６１に固定することもできる。この場合も、浴室５０の床５２にアンカーボルトを打ち込む構成と比較して、浴室５０の水漏れが生じにくい。
【００４０】
・第１および第２実施形態の固定器具１０を、一枚の板部材を曲げ加工することにより形成される第２の固定部と第１の固定部とを備える固定器具１０とすることもできる。この場合、第２の固定部の全てが第１の固定部の上面よりも上側に位置する。
【００４１】
・第１および第２実施形態の固定器具１０を、浴室５０に設置される浴室用機器である機械浴槽を固定する固定器具１０に変更することもできる。機械浴槽は、例えば、浴槽と、浴槽に対して移動可能に浴槽に連結されるシートとを備える。
【符号の説明】
【００４２】
１０…固定器具、１１…第２の固定部、１３…アンカーボルト、２０，３０…第１の固定部、２１，３１…フランジ、２４…脚取付部、２５…脚、４０…リフト装置（浴室用機器）、４６…脚、５０…浴室、５１…壁。
【図１】
2016146993.tif 000003
【図２】
2016146993.tif 000004
【図３】
2016146993.tif 000005
【図４】
2016146993.tif 000006
【図５】
2016146993.tif 000007
【図６】
2016146993.tif 000008
【図７】
2016146993.tif 000009
【図８】
2016146993.tif 000010